(57)【特許請求の範囲】
【請求項１】
メッセージを録音・再生する録音再生部と、
予め転送先電話機のデータが格納されている記憶部と、
発信側からの呼び出しを検出したとき留守録の設定がなされているかどうかを判定し、留守録の設定がなされているときは発信側にメッセージの入力を要求して前記録音再生部にメッセージを録音させるメッセージ受信制御部と、
前記録音再生部によるメッセージの録音終了後、録音メッセージ転送の設定がなされているかどうかを判定し、転送の設定がなされているときは予め設定された転送先電話番号をダイヤルし、このダイヤルによる転送先電話機からの応答を確認したときは前記データに基づいて転送先電話機が携帯電話機かどうかを判定し、前記データより携帯電話機以外と判断したときはその電話機に暗証番号の入力を要求し、前記データより携帯電話機と判断したときは録音メッセージ転送の旨を通知する機種判定部と、
前記暗証番号が受信されたときは予め設定されている番号と比較し、該番号が同一のときに発信側からの録音メッセージ読出要求を受けたときは前記録音再生部に録音メッセージを転送させ、前記機種判定部による録音メッセージ転送の旨が通知された後に発信側からの録音メッセージ読出要求を受けたときは前記メッセージを転送させるメッセージ転送制御部と
を備えたことを特徴とする電話機。
【請求項２】
前記記憶部には転送先電話機の電話番号がデータとして格納されており、前記機種判定部は、ダイヤルによる転送先電話機からの応答を確認したとき、前記記憶部に格納されている電話番号に携帯電話機特有のコードが存在するかどうかを判定し、前記コードを確認できないときは転送先電話機に暗証番号の入力を要求し、前記コードを確認したときは録音メッセージ転送の旨を通知することを特徴とする請求項１記載の電話機。
【請求項３】
前記記憶部には電話機のボタン操作によるコードがデータとして格納されており、前記機種判定部は、ダイヤルによる転送先電話機からの応答を確認したとき、前記記憶部に格納されているコードに基づいて転送先電話機が携帯電話機かどうかを判定し、前記コードから携帯電話機以外と判断したときその電話機に暗証番号の入力を要求し、前記コードから携帯電話機と判断したときは録音メッセージ転送の旨を通知することを特徴とする請求項１記載の電話機。
【請求項４】
前記記憶部にはフラグがデータとして格納されており、前記機種判定部は、ダイヤルによる転送先電話機からの応答を確認したとき、前記記憶部に格納されているフラグに基づいて転送先電話機が携帯電話機かどうかを判定し、前記フラグから携帯電話機以外と判断したときその電話機に暗証番号の入力を要求し、前記フラグから携帯電話機と判断したときは録音メッセージ転送の旨を通知することを特徴とする請求項１記載の電話機。
【請求項５】
前記記憶部は、携帯電話機の電話番号をデータとして格納する第１の格納領域と、携帯電話機以外の電話番号をデータとして格納する第２の格納領域とを有し、前記機種判定部は、録音メッセージ転送の設定がなされているとき、前記第１の格納領域に電話番号が格納されているかどうかを判定し、その領域に電話番号が格納されているときはその電話番号をダイヤルし、第１の格納領域に電話番号が格納されていないときは第２の格納領域の電話番号をダイヤルし、第１の格納領域の電話番号をダイヤルした後に転送先電話機からの応答を確認したときはその転送先電話機に録音メッセージ転送の旨を通知し、前記第２の格納領域の電話番号をダイヤルした後に転送先電話機からの応答を確認したときはその転送先電話機に暗証番号の入力を要求することを特徴とする請求項１記載の電話機。
【発明の詳細な説明】
【０００１】
【産業上の利用分野】
本発明は、録音したメッセージを所定の電話機に転送する留守番機能付き電話機、並びに留守番機能付き電話機に録音されたメッセージを受信する携帯電話機に関するものである。
【０００２】
【従来の技術】
図１７は電話網の基本構成図、図１８は従来の留守番機能付き電話機の回路構成を説明するためのブロック図、図１９は短縮ダイヤルによる電話番号を格納するメモリの説明図、図２０は短縮ダイヤルによる電話番号の登録手順を説明するためのフローチャート、図２１は従来の電話機の留守番機能の動作を説明するためのフローチャートである。
【０００３】
図において、１は留守番機能付き電話機（以下、「留守番電話機」という）で、交換機２を介して例えば公衆電話３や、他の電話機４等に接続されている。また携帯電話機６に対しても交換機２と接続された無線基地局５を経て通話ができるようになっている。この留守番電話機１は、一例であるが図１８に示すように回線制御部１１、フックスイッチ１２、トーンリンガ回路１３、通話回路１４、送受話器１５、ダイヤル回路１６、マイクロコンピュータ（以下、「マイコン」という）１７、録音再生部１８、メモリ１９、機能回路２０等で構成されている。
【０００４】
回線制御部１１は交換機２からの呼出信号の検出、ダイヤル回路１６からの選択信号の送出等を行うものであり、フックスイッチ１２は送受話器１５が上げられたときに通話回路１４側に切り替わって通話状態にし、トーンリンガ回路１３は交換機２からの呼出信号の入力に基づいて呼出音を発生する。前記通話回路１４は電気信号と音声とを相互に変換する回路であり、ダイヤル回路１６はダイヤルボタンの押下に基づいて選択信号を送出する。マイコン１７は、留守録が設定されているときは、呼出音のカウント、発信者側からのメッセージ録音のための処理等を行い、また録音メッセージ転送の設定がなされているときは、転送先の電話番号の送信、暗証番号のチェック、録音メッセージの再生のための処理等を行う。録音再生部１８は、マイコン１７の制御に基づいて発信側からのメッセージの録音やその再生を行うようになっている。
【０００５】
メモリ１９は、相手先の電話番号や、録音メッセージ転送先の電話番号を記憶するためのもので、例えば図１９に示すように「１」〜「９」のダイヤルボタンにそれぞれ対応したアドレスに短縮電話番号登録エリアが設けられている。録音メッセージ転送先の電話番号を短縮ダイヤルで登録する場合は、図２０のフローチャートに示すように、まず留守番電話機１に設けられている登録ボタンを押下し（Ｓ１）、次いで短縮ボタンを押下して（Ｓ２）、例えば「９」のダイヤルボタンを押下し（Ｓ３）、そして、録音メッセージ転送先の電話番号をダイヤルボタンで設定し（Ｓ４）、最後に再び登録ボタンを押下する（Ｓ５）。これによりダイヤルボタン「９」に対応するアドレスの短縮電話番号登録エリアに録音メッセージ転送先の電話番号が格納される。機能回路２０は、前述した登録ボタン、短縮ボタンや、留守録の設定ためのボタン等と接続され、ボタンの押下に基づいてマイコン１７に信号を送出するようになっている。
【０００６】
前記のように構成された従来の留守番電話機において、留守録の設定及び録音メッセージ転送の設定がなされているときの動作を図２１のフローチャートに基づいて説明する。
例えば留守番電話機１の回線制御部１１が交換機２からの呼出信号を検出すると、トーンリンガ回路１３はフックスイッチ１２を介して入力される呼出信号に基づいて呼出音を発生する。このとき、マイコン１７は、呼出信号を検出し（Ｓ１１）、留守録が設定されているかどうかを判定する（Ｓ１２）。留守録の設定がなされていない場合には動作を終了するが。留守録が設定されていたときは呼出信号に基づいて呼出音をカウントし、そのカウント値が予め設定された回数（５回）に達したとき（Ｓ１３）、発信側に応答して留守である旨のメッセージ及び不在者へのメッセージ入力の依頼を送信すると共に、録音再生部１８を起動させる（Ｓ１４〜Ｓ１６）。このとき、録音再生部１８は、メッセージが発信側から送られてくるとそのメッセージを録音し、発信側により回線が切断されたときに録音を終了する。一方、マイコン１７は、録音再生部１８によるメッセージの録音が終了したかどうかを判定しており（Ｓ１７）、録音が終了したとき回線を切断する（Ｓ１８）。
【０００７】
次いで、録音メッセージ転送の設定がなされているかどうかを判定し（Ｓ１９）、その設定がなされていないときは後述する処理を実行することなく動作を終了するが、録音メッセージ転送の設定がなされているときは、メモリ１９にアクセスしてダイヤルボタン「９」に対応するアドレスの短縮電話番号登録エリアの電話番号を読み出し、回線制御部１１を介して送信する（Ｓ２０）。そして、この電話番号のダイヤルによる応答信号が受信されたかどうかを判定し（Ｓ２１）、応答信号を検出したときは録音メッセージ転送先の例えば電話機４に対して暗証番号入力の旨のメッセージを送信する（Ｓ２２）。このメッセージの送信により暗証番号が入力されたときは、予めメモリ１９に格納された番号と同一かどうかを比較し（Ｓ２３）、番号が異なっていた場合にはステップ２６に進んで回線を切断するが、番号が同一のときは転送先電話機４からのボタン操作の入力による録音メッセージ読出の要求があったかどうかを判定する（Ｓ２４）。録音メッセージ読出の要求を受信したときは録音再生部１８を起動して録音メッセージを再生させ（Ｓ２５）、そして、録音再生部１８による録音メッセージの送信が終了したとき前記と同様に回線を切断する（Ｓ２６）。
【０００８】
【発明が解決しようとする課題】
従来の留守番電話機１は、前述したように転送先の電話機４からの暗証番号が入力されたときのみ録音メッセージを送信するようになっている。これは、転送先の電話機４が机上等に設置されて、周囲の誰もがその電話機４にでることを想定してなされたものであるが、他人に使用されることなく、しかも録音メッセージを受信しても他人に聞かれることのない携帯電話機６に対しても暗証番号の入力を要求するようになっていた。そのため、携帯者は、録音メッセージを受信する際、暗証番号を入力しなければならず、携帯者にとっては暗証番号の入力は無駄なことであり、しかも操作が煩わしいという問題があった。
【０００９】
本発明は、かかる課題を解決するためになされたもので、録音メッセージの転送先が携帯電話機の場合には、携帯電話機での操作を簡素化させる電話機、並びに録音メッセージ受信の際に暗証番号を自動的に送信する携帯電話機を提供することを目的とする。
【００１０】
【課題を解決するための手段】
本発明に係る電話機は、メッセージを録音・再生する録音再生部と、予め転送先電話機のデータが格納されている記憶部と、発信側からの呼び出しを検出したとき留守録の設定がなされているかどうかを判定し、留守録の設定がなされているときは発信側にメッセージの入力を要求して前記録音再生部にメッセージを録音させるメッセージ受信制御部と、前記録音再生部によるメッセージの録音終了後、録音メッセージ転送の設定がなされているかどうかを判定し、転送の設定がなされているときは予め設定された転送先電話番号をダイヤルし、このダイヤルによる転送先電話機からの応答を確認したときは前記データに基づいて転送先電話機が携帯電話機かどうかを判定し、前記データより携帯電話機以外と判断したときはその電話機に暗証番号の入力を要求し、前記データより携帯電話機と判断したときは録音メッセージ転送の旨を通知する機種判定部と、前記暗証番号が受信されたときは予め設定されている番号と比較し、該番号が同一のときに発信側からの録音メッセージ読出要求を受けたときは前記録音再生部に録音メッセージを転送させ、前記機種判定部による録音メッセージ転送の旨が通知された後に発信側からの録音メッセージ読出要求を受けたときは前記メッセージを転送させるメッセージ転送制御部とを備えたものである。
【００１１】
また、本発明に係る電話機は、記憶部には転送先電話機の電話番号がデータとして格納されており、機種判定部は、ダイヤルによる転送先電話機からの応答を確認したとき、記憶部に格納されている電話番号に携帯電話機特有のコードが存在するかどうかを判定し、そのコードを確認できないときは転送先電話機に暗証番号の入力を要求し、前記コードを確認したときは録音メッセージ転送の旨を通知する。
【００１２】
また、記憶部には電話機のボタン操作によるコードがデータとして格納されており、機種判定部は、ダイヤルによる転送先電話機からの応答を確認したとき、記憶部に格納されているコードに基づいて転送先電話機が携帯電話機かどうかを判定し、そのコードから携帯電話機以外と判断したときその電話機に暗証番号の入力を要求し、前記コードから携帯電話機と判断したときは録音メッセージ転送の旨を通知する。
【００１３】
さらに、記憶部にはフラグがデータとして格納されており、機種判定部は、ダイヤルによる転送先電話機からの応答を確認したとき、記憶部に格納されているフラグに基づいて転送先電話機が携帯電話機かどうかを判定し、フラグから携帯電話機以外と判断したときその電話機に暗証番号の入力を要求し、フラグから携帯電話機と判断したときは録音メッセージ転送の旨を通知する。
【００１４】
また、本発明に係る電話機は、記憶部は、携帯電話機の電話番号をデータとして格納する第１の格納領域と、携帯電話機以外の電話番号をデータとして格納する第２の格納領域とを有し、機種判定部は、録音メッセージ転送の設定がなされているとき、第１の格納領域に電話番号が格納されているかどうかを判定し、その領域に電話番号が格納されているときはその電話番号をダイヤルし、第１の格納領域に電話番号が格納されていないときは第２の格納領域の電話番号をダイヤルし、第１の格納領域の電話番号をダイヤルした後に転送先電話機からの応答を確認したときはその転送先電話機に録音メッセージ転送の旨を通知し、前記第２の格納領域の電話番号をダイヤルした後に転送先電話機からの応答を確認したときはその転送先電話機に暗証番号の入力を要求する。
【００１５】
【作用】
本発明においては、メッセージ受信制御部が発信側からのメッセージを録音再生部に録音させた場合、機種判定部は、録音メッセージ転送の設定がなされているかどうかを判定する。その転送の設定がなされているときは、予め設定された転送先電話機の電話番号をダイヤルする。そして、このダイヤルによる転送先電話機からの応答を確認したときは、記憶部に格納されているデータに基づいて転送先電話機が携帯電話機かどうかを判定する。前記データより携帯電話機以外と判断したときはその電話機に暗証番号の入力を要求し、前記データより携帯電話機と判断したときは録音メッセージ転送の旨を通知する。メッセージ転送制御部は、転送先電話機からの暗証番号を受信した場合には、予め設定されている番号とその暗証番号と比較し、番号が同一のときに録音メッセージ読出要求を転送先電話機から受けたときは録音再生部に録音メッセージを転送させ、また録音メッセージ転送の旨が機種判定部から通知された後に録音メッセージ読出要求を転送先電話機から受けたときは録音再生部に録音メッセージを転送させる。
【００１６】
また、本発明においては、電話機の機種判定部は、ダイヤルによる転送先電話機からの応答を確認したとき、記憶部に格納されている電話番号に携帯電話機特有のコードが存在するかどうかを判定し、そのコードを確認できないときは転送先電話機に暗証番号の入力を要求し、携帯電話機特有のコードを確認したときは録音メッセージ転送の旨を通知する。
【００１７】
また、電話機の機種判定部は、ダイヤルによる転送先電話機からの応答を確認したとき、記憶部に格納されているコードに基づいて転送先電話機が携帯電話機かどうかを判定し、そのコードから携帯電話機以外と判断したときその電話機に暗証番号の入力を要求し、前記コードから携帯電話機と判断したときは録音メッセージ転送の旨を通知する。
【００１８】
さらに、電話機の機種判定部は、ダイヤルによる転送先電話機からの応答を確認したとき、記憶部に格納されているフラグに基づいて転送先電話機が携帯電話機かどうかを判定し、フラグから携帯電話機以外と判断したときその電話機に暗証番号の入力を要求し、フラグから携帯電話機と判断したときは録音メッセージ転送の旨を通知する。
【００１９】
また、携帯電話機の電話番号がデータとして記憶部の第１の格納領域に、携帯電話機以外の電話番号がデータとして第２の格納領域に格納されていた場合には、機種判定部は、録音メッセージ転送の設定がなされているとき、第１の格納領域に電話番号が格納されているかどうかを判定する。その第１の格納領域に電話番号が格納されているときはその電話番号をダイヤルし、第１の格納領域に電話番号が格納されていないときは第２の格納領域の電話番号をダイヤルする。そして、第１の格納領域の電話番号をダイヤルした後に転送先電話機からの応答を確認したときはその転送先電話機に録音メッセージ転送の旨を通知し、第２の格納領域の電話番号をダイヤルした後に転送先電話機からの応答を確認したときはその転送先電話機に暗証番号の入力を要求する。
【００２０】
【実施例】
実施例１．
図１は本発明の請求項１，２の発明に係る留守番電話機の一例を示すブロック図、図２はその留守番電話機の留守番機能の動作を説明するためのフローチャート、図３は録音メッセージを受信するときの携帯電話機の操作手順を示すフローチャートである。なお、図１７及び図１８で説明した従来例と同一又は相当部分には同じ符号を付し説明を省略する。
【００２１】
図において、３１は本発明のメッセージ受信制御部、機種判定部及びメッセージ転送制御部の機能を有する留守番電話機１ａのマイコンで、交換機２からの呼出信号を検出したときに留守録の設定がなされていた場合、図２のフローチャートに基づいて留守番機能を実行する。その場合、まず呼出音を５回検出し、次いで発信側にメッセージの入力を要求して録音再生部１８にメッセージを録音させる。
【００２２】
そして、録音再生部１８によるメッセージの録音終了後に回線を切断し、録音メッセージ転送の設定がなされているかどうかを判定する。録音メッセージ転送の設定がなされているときは、予めＥ２  ＰＲＯＭ３２に格納されている転送先電話番号をダイヤルし、このダイヤルによる交換機２からの応答信号を検出したとき携帯電話機特有のコード番号（「０３０」、「０４０」及び「０５０」のうちいずれか一つ）が前記電話番号の先頭の３桁に存在するかどうかを判定する。前記コード番号を確認できないときは転送先電話機が電話機４であると判断して暗証番号の入力を要求し、前記コード番号を確認したときは携帯電話機６と判断して録音メッセージ転送の旨を通知する。
【００２３】
さらに、暗証番号が受信されたときは予めＥ２  ＰＲＯＭ３２に格納された番号と比較し、番号が同一のときは転送先の電話機４からのボタン操作の入力による録音メッセージ読出の要求があったかどうかを判定し、録音メッセージ読出要求を受けたときは録音再生部１８に録音メッセージを転送させる。また録音メッセージ転送の旨を通知した後に転送先の携帯電話機６からの録音メッセージ読出要求を受けたときは録音メッセージを転送させる。
【００２４】
前述したコード番号及び電話番号は、従来例で説明した短縮ダイヤルの設定によってＥ２  ＰＲＯＭ３２に格納されたもので、「９」のダイヤルボタンに対応するアドレスの短縮電話番号登録エリアに格納されている。また、暗証番号と同一の番号は短縮ダイヤルによるエリア以外の格納エリアに格納されている。
【００２５】
前記のように構成された留守番電話機の留守番機能の動作を図２のフローチャートに基づいて説明する。
例えば留守番電話機１ａの回線制御部１１が交換機２からの呼出信号を検出すると、トーンリンガ回路１３はフックスイッチ１２を介して入力される呼出信号に基づいて呼出音を発生する。このとき、マイコン３１は、呼出信号を検出し（Ｓ３１）、留守録が設定されているかどうかを判定する（Ｓ３２）。留守録の設定がなされていない場合には動作を終了するが、留守録が設定されているときは呼出信号に基づいて呼出音をカウントし、そのカウント値が予め設定された回数（５回）に達したとき（Ｓ３３）、発信側に応答して留守である旨のメッセージ及び不在者へのメッセージ入力の依頼を送信すると共に、録音再生部１８を起動させる（Ｓ３４〜Ｓ３６）。録音再生部１８は、メッセージが発信側から送られてくるとそのメッセージを録音し、発信側により回線が切断されたときに録音を終了する。一方、マイコン３１は、録音再生部１８によるメッセージの録音が終了したかどうかを判定しており（Ｓ３７）、録音が終了したとき回線を切断する（Ｓ３８）。
【００２６】
次いで、録音メッセージ転送の設定がなされているかどうかを判定し（Ｓ３９）、その設定がなされていないときは後述する処理を実行することなく動作を終了するが、録音メッセージ転送の設定がなされているときは、Ｅ２  ＰＲＯＭ３２に格納されている転送先電話番号を読み出して回線制御部１１を介して送信する（Ｓ４０）。そして、このダイヤルによる応答信号が受信されたかどうかを判定し（Ｓ４１）、交換機２からの応答信号を検出したときは、携帯電話機特有のコード番号（「０３０」、「０４０」及び「０５０」のうちいずれか一つ）が前記電話番号の先頭の３桁に存在するかどうかを判定する（Ｓ４２）。前記コード番号を確認できないときは転送先電話機が電話機４であると判断して暗証番号入力の旨のメッセージを送信する（Ｓ４３）。このメッセージにより暗証番号が入力されたときはＥ２  ＰＲＯＭ３２に格納されている番号と同一かどうかを比較し（Ｓ４４）、番号が異なっていた場合には回線を切断するが（Ｓ４８）、番号が同一のときは電話機４からのボタン操作の入力による録音メッセージ読出の要求があったかどうかを判定する（Ｓ４６）。録音メッセージ読出の要求を受信したときは録音再生部１８を起動して録音メッセージを再生させ（Ｓ４７）、そして、録音再生部１８による録音メッセージの送信が終了したとき前記と同様に回線を切断する（Ｓ４８）。
【００２７】
また、ステップ４２において前記コード番号を確認したときは、転送先が携帯電話機６であると判断して録音メッセージ転送の旨を通知する（Ｓ４５）。そして、前記と同様に携帯電話機６からの録音メッセージ読出の要求があったかどうかを判定し（Ｓ４６）、録音メッセージ読出の要求を受信したときは録音再生部１８を起動して録音メッセージを再生させ（Ｓ４７）、録音再生部１８による録音メッセージの送信が終了したとき回線を切断する（Ｓ４８）。
【００２８】
一方、携帯電話機６においては、図３のフローチャートに示すように着信ボタンの押下（Ｓ５１）、ボタン操作（例えばパウンド「＃」、ダイヤル「１」、パウンド「＃」の順でボタンを押下する）の入力による録音メッセージの読出要求を行うだけで（Ｓ５２）、留守番電話機１ａに録音されたメッセージを聞くことができる。
【００２９】
実施例１によれば、留守番電話機１ａのマイコン３１が、電話番号の先頭の３桁にコード番号がないと判断したときは転送先（電話機４）に暗証番号の入力を要求し、前記コード番号を確認したときは転送先（携帯電話機６）に暗証番号入力の要求を行うことなく録音メッセージを転送できるようにしたので、携帯電話機６においては暗証番号の入力操作を行うことなく録音メッセージを受信できるという効果が得られている。
【００３０】
実施例２．
図４は本発明の請求項１，２の発明に係る留守番電話機の他の実施例を説明するためのフローチャート、図５は留守番電話機に転送先電話番号を登録するときの操作手順を示すフローチャートである。なお、実施例２における留守番電話機の構成は図１に示す実施例１の留守番電話機と同じである。
【００３１】
実施例２においては、マイコン３１は、録音メッセージの転送先が携帯電話機６かどうかを判定する際、Ｅ２  ＰＲＯＭ３２に格納されているコードに基づいて判断する。例えば、そのエリアに「＊」ボタンの押下によるコードが格納されていた場合には携帯電話機６と判断し、「＃」ボタンの押下によるコードの場合には携帯電話機以外の電話機４と判断する。
【００３２】
Ｅ２  ＰＲＯＭ３２は、ダイヤルボタン「９」に対応するアドレスの短縮電話番号登録エリアに、転送先の電話番号と前記いずれか一方のボタンの押下によるコードとを記憶している。その電話番号とコードは図５に示す手順でＥ２  ＰＲＯＭ３２に格納される。まず登録ボタンを押下し（Ｓ８１）、次いで短縮ボタンを押下し（Ｓ８２）、さらにダイヤルボタン「９」を押下する（Ｓ８３）。そして、録音メッセージの転送先が携帯電話機６の場合は「＊」ボタンを、また電話機４の場合は「＃」ボタンを押下する（Ｓ８４、Ｓ８５）。その後、ダイヤルボタンで電話番号を入力し（Ｓ８６）、最後に再び登録ボタンを押下する（Ｓ８７）。
【００３３】
次に、実施例２における留守番電話機の留守番機能の動作を図４のフローチャートに基づいて説明する。なお、このフローチャートに示すステップ６１からステップ６９までの動作は、実施例１で説明したステップ３１からステップ３９までと同じであるため、動作説明を省略する。
【００３４】
マイコン３１は、ステップ６９において録音メッセージ転送の設定がなされていることを確認すると、Ｅ2 ＰＲＯＭ３２にアクセスしてダイヤルボタン「９」に対応するアドレスの短縮電話番号登録エリアに格納されている転送先電話番号を読み出し、回線制御部１１を介して送信する（Ｓ７０）。そして、このダイヤルによる応答信号が受信されたかどうかを判定し（Ｓ７１）、交換機２からの応答信号を検出したとき、前記登録エリアに格納されているコードを読み出して転送先電話機が携帯電話機６かどうかを判定する（Ｓ７２）。「＃」ボタンの押下によるコードと判断したときは、電話機４であるため暗証番号入力の旨のメッセージを送信し（Ｓ７３）、そのメッセージにより暗証番号が入力されたときは予めＥ2 ＰＲＯＭ３２に格納されている番号と同一かどうかを比較する（Ｓ７４）。番号が異なっていた場合は回線を切断するが（Ｓ７８）、番号が同一のときは電話機４からのボタン操作の入力による録音メッセージ読出の要求があったかどうかを判定する（Ｓ７６）。録音メッセージ読出の要求を受信したときは録音再生部１８を起動して録音メッセージを再生させ（Ｓ７７）、そして、録音再生部１８による録音メッセージの送信が終了したとき前記と同様に回線を切断する（Ｓ７８）。
【００３５】
また、ステップ７２において「＊」ボタンの押下によるコードと判断したときは、転送先電話機が携帯電話機６であるため録音メッセージ転送の旨を通知する（Ｓ７５）。そして、前記と同様に携帯電話機６からの録音メッセージ読出の要求があったかどうかを判定し（Ｓ７６）、録音メッセージ読出の要求を受信したときは、前述したように録音再生部１８を起動して録音メッセージを再生させ（Ｓ７７）、録音再生部１８による録音メッセージの送信が終了したとき回線を切断する（Ｓ７８）。
【００３６】
実施例２においても、マイコン３１が、「＊」ボタンの押下によるコードを確認したとき、転送先（携帯電話機６）に暗証番号入力の要求を行うことなく録音メッセージを転送できるようにしたので、携帯電話機６においては録音メッセージ受信の際の操作が簡単になるという効果が得られている。
【００３７】
実施例３．
図６は本発明の請求項１，２に係る発明の留守番電話機の他の実施例を説明するためのフローチャート、図７は本実施例におけるＥ２  ＰＲＯＭの説明図、図８はＥ２  ＰＲＯＭに転送先が携帯電話機であるか否かを判定させるためのコードを入力するときの操作手順を示すフローチャートである。なお、実施例３における留守番電話機の構成は図１に示す留守番電話機と同じである。
【００３８】
実施例３においては、マイコン３１は、転送先電話機が携帯電話機６かどうかを判定する際、後述する暗証番号確認フラグ３３の内容に基づいて行う。例えばそのフラグが「１」のときは録音メッセージの転送先が携帯電話機６と判断し、また前記フラグが「０」のときは携帯電話機以外の電話機４と判断する。
【００３９】
Ｅ２  ＰＲＯＭ３２は、図７に示すように「１」〜「９」のダイヤルボタンにそれぞれ対応する短縮電話番号登録エリアを備えていると共に、前記エリア以外のエリアに暗証番号確認フラグ３３が設けられている。このフラグ３３を「１」又は「０」に設定するときは図８に示す手順で行う。まず登録ボタンを押下し（Ｓ１１１）、次いで短縮ボタンを２回連続して押下する（Ｓ１１２，Ｓ１１３）。そして、転送先が携帯電話機以外の電話機４の場合は「０」のダイヤルボタンを押下して暗証番号確認フラグ３３を「０」に設定し（Ｓ１１４，Ｓ１１５）、また転送先電話機が携帯電話機６の場合は「１」のダイヤルボタンを押下して暗証番号確認フラグ３３を「１」にセットする（Ｓ１１６，Ｓ１１７）。なお、転送先電話番号は、ダイヤルボタン「９」に対応するアドレスの短縮電話番号登録エリアに格納されている。
【００４０】
次に、実施例３における留守番電話機の留守番機能の動作を図６のフローチャートに基づいて説明する。なお、このフローチャートに示すステップ９１からステップ９９までの動作については、実施例１で説明したステップ３１からステップ３９までの動作と同じであるため説明を省略する。
【００４１】
マイコン３１は、ステップ９９において録音メッセージ転送の設定がなされていることを確認すると、Ｅ２  ＰＲＯＭ３２にアクセスしてダイヤルボタン「９」に対応するアドレスの短縮電話番号登録エリアニ格納されている電話番号を読み出し、回線制御部１１を介して送信する（Ｓ１００）。そして、このダイヤルによる応答信号が受信されたかどうかを判定し（Ｓ１０１）、交換機２からの応答信号を検出したときは、所定のエリアに設定されている暗証番号確認フラグ３３の内容を読み出して転送先電話機が携帯電話機６かどうかを判定する（Ｓ１０２）。そのフラグ３３が「０」のときは、電話機４と判断して暗証番号入力の旨のメッセージを送信し（Ｓ１０３）、そのメッセージにより暗証番号が入力されたときはＥ２  ＰＲＯＭ３２に格納されている番号と同一かどうかを比較する（Ｓ１０４）。番号が異なっている場合は回線を切断するが（Ｓ１０８）、番号が同一のときは電話機４からのボタン操作の入力による録音メッセージ読出の要求があったかどうかを判定する（Ｓ１０６）。録音メッセージ読出の要求を受信したときは録音再生部１８を起動して録音メッセージを再生させ（Ｓ１０７）、そして、録音再生部１８による録音メッセージの送信が終了したとき前記と同様に回線を切断する（Ｓ１０８）。
【００４２】
また、ステップ１０２において暗証番号確認フラグ３３の内容が「１」のときは、転送先電話機が携帯電話機６であると判断して録音メッセージ転送の旨を通知し（Ｓ１０５）、そして、そのメッセージによる携帯電話機６からの録音メッセージ読出の要求があったかどうかを判定する（Ｓ１０６）。録音メッセージ読出の要求を受信したときは、前記と同様に録音再生部１８を起動して録音メッセージを再生させ（Ｓ１０７）、録音再生部１８による録音メッセージの送信が終了したとき回線を切断する（Ｓ１０８）。
【００４３】
実施例３によれば、留守番電話機１ａのマイコン３１が、Ｅ２  ＰＲＯＭ３２に設定されている暗証番号確認フラグ３３の内容から携帯電話機６と判断した場合、その携帯電話機６に対して暗証番号入力の要求をすることなく録音メッセージを転送するようにしたので、携帯電話機においては実施例１，２と同様に簡単な操作で録音メッセージを聞くことができるという効果が得られている。
【００４４】
実施例４．
図９及び図１０は本発明の請求項１，３に係る発明の留守番電話機の他の実施例を説明するためのフローチャートである。なお、本実施例においても留守番電話機の構成は図１に示すものと同じである。
【００４５】
実施例４においては、マイコン３１は、録音メッセージ転送の設定がなされていると、Ｅ２  ＰＲＯＭ３２にアクセスしてダイヤルボタン「８」に対応するアドレスの短縮電話番号登録エリアに電話番号が格納されているかどうかを判定する。そのエリアに電話番号が格納されているときは転送先が携帯電話機６であると判断してその電話番号を送信し、そして、そのダイヤルによる応答を検出したときは録音メッセージ転送の旨を通知する。また前記エリアに電話番号が格納されていないときは転送先が電話機４であると判断して、ダイヤルボタン「９」に対応するアドレスの短縮電話番号登録エリアに格納されている電話番号を送信する。そして、そのダイヤルにより応答を検出したときはその電話機４に対して暗証番号入力の旨のメッセージを通知する。
【００４６】
Ｅ２  ＰＲＯＭ３２は、前述したようにダイヤルボタン「８」に対応するアドレスの短縮電話番号登録エリアに携帯電話機６の電話番号を、またダイヤルボタン「９」に対応するアドレスの短縮電話番号登録エリアに電話機４の電話番号を記憶するようになっている。これらの電話番号は図２０で説明したフローチャートに基づいて格納される。
【００４７】
次に、図９及び図１０のフローチャートに基づいて留守番電話機の留守番機能の動作を説明する。なお、このフローチャートに示すステップ１２１からステップ１２９までの動作については、実施例１で説明したステップ３１からステップ３９までの動作と同じであるため説明を省略する。
マイコン３１は、ステップ１２９において録音メッセージ転送の設定がなされていることを確認すると、Ｅ２  ＰＲＯＭ３２にアクセスしてダイヤルボタン「８」に対応するアドレスの短縮電話番号登録エリアに電話番号が格納されているかどうかを判定する（Ｓ１３０）。前記エリアに電話番号が格納されていないときは、転送先が電話機４であると判断して、ダイヤルボタン「９」に対応するアドレスの短縮電話番号登録エリアに格納されている電話番号をダイヤルする（Ｓ１３４）。そして、この呼び出しによる応答信号を検出したときはその電話機４に対して暗証番号入力の旨のメッセージを送信する（Ｓ１３５，Ｓ１３６）。このメッセージにより暗証番号が入力されたときは予めＥ２  ＰＲＯＭ３２に格納された番号と同一かどうかを比較し（Ｓ１３７）、番号が異なっている場合には回線を切断するが（Ｓ１４０）、番号が同一のときは電話機４からのボタン操作の入力によるメッセージ読出の要求があったかどうかを判定する（Ｓ１３８）。メッセージ読出の要求を受信したときは録音再生部１８を起動して録音メッセージを再生させ（Ｓ１３９）、そして、録音再生部１８による録音メッセージの送信が終了したとき前記と同様に回線を切断する（Ｓ１４０）。
【００４８】
また、ステップ１３０においてダイヤルボタン「８」に対応するアドレスの短縮電話番号登録エリアに電話番号が格納されているときは転送先が携帯電話機６であると判断してその電話番号をダイヤルする（Ｓ１３１）。そして、この呼び出しによる応答信号を検出したときは携帯電話機６に対し録音メッセージ転送の旨を通知して（Ｓ１３２，Ｓ１３３）、この通知による携帯電話機６からのメッセージ読出の要求があったかどうかを判定する（Ｓ１３８）。携帯電話機６のボタン操作によるメッセージ読出の要求を受信したときは録音再生部１８を起動して録音メッセージを再生させ（Ｓ１３９）、録音再生部１８による録音メッセージの送信が終了したとき回線を切断する（Ｓ１４０）。
【００４９】
実施例４によれば、ダイヤルボタン「８」に対応するアドレスの短縮電話番号登録エリアに電話番号が格納されていた場合、転送先が携帯電話機６と判断して暗証番号入力の要求をすることなく録音メッセージを転送できるようにしたので、携帯電話機においては前述した実施例と同様に簡単な操作で録音メッセージを聞くことができるという効果が得られている。
【００５０】
実施例５．
図１１は本発明の請求項４に係る発明の留守番電話機の一例を示すブロック図、図１２はその留守番電話機の外観を示す斜視図、図１３は動作を説明するためのフローチャートである。なお，図１８で説明した従来例及び図１で説明した実施例１と同一又は相当部分には同じ符号を付し説明を省略する。
【００５１】
図において、４１はマイコンで、本発明のメッセージ受信制御部、機種判定部及びメッセージ転送制御部の機能を有し、交換機２からの呼出信号を検出したときに留守録の設定がなされていた場合、図１３のフローチャートに基づいて留守番機能を実行する。その場合、まず呼出音を５回検出し、次いで発信側にメッセージの入力を要求して録音再生部１８にメッセージを録音させる。
【００５２】
次いで、録音再生部１８によるメッセージの録音終了後に回線を切断し、録音メッセージ転送の設定がなされているかどうかを判定する。録音メッセージ転送の設定がなされているときは、内蔵のメモリ（図示せぬ）に格納されている転送先電話番号をダイヤルする。そして、そのダイヤルによる転送先電話機からの応答を検出したときは、図１２に示すように留守番電話機１ｂの筐体に取り付けられたモード切替スイッチ４２の接続状態に基づいて転送先電話機が携帯電話機６かどうかを判定する。例えば切替スイッチ４２がオンのときは録音メッセージの転送先が電話機４であると判断して暗証番号入力の旨のメッセージを送信し、前記スイッチ４２がオフのときは携帯電話機６と判断してメッセージ転送の旨を通知する。
【００５３】
暗証番号入力の旨のメッセージ通知により暗証番号が受信されたときは前記メモリに格納された番号と比較し、番号が同一のときは転送先の電話機４からのボタン操作の入力による録音メッセージ読出の要求があったかどうかを判定し、その録音メッセージ読出要求を受けたときは録音再生部１８に録音メッセージを転送させる。また、録音メッセージ転送の旨の通知により転送先の携帯電話機６からの録音メッセージ読出要求を受けたときは録音メッセージを転送させる。
【００５４】
次に、実施例５における留守番電話機の留守番機能の動作を図１３のフローチャートに基づいて説明する。なお、このフローチャートに示すステップ１５１からステップ１５９までの動作については、実施例１で説明したステップ３１からステップ３９までの動作と同じであるため説明を省略する。
【００５５】
マイコン３１は、ステップ１５９において録音メッセージ転送の設定がなされていることを確認すると、内蔵のメモリに格納された転送先電話番号を読み出してダイヤルする（Ｓ１６０）。そして、この呼び出しに対する応答信号が受信されたかどうかを判定し（Ｓ１６１）、交換機２からの応答信号を検出したときはモード切替スイッチ４２がオンかどうかを判定する（Ｓ１６２）。モード切替スイッチ４２がオンのときは録音メッセージの転送先が電話機４であると判断して暗証番号入力の旨のメッセージを送信する（Ｓ１６３）。この通知により暗証番号が入力されたときは、内蔵のメモリに格納された番号と同一かどうかを比較し（Ｓ１６４）、番号が異なっている場合には回線を切断するが（Ｓ１６８）、番号が同一のときは電話機４からのボタン操作の入力による録音メッセージ読出の要求があったかどうかを判定する（Ｓ１６６）。録音メッセージ読出の要求を受信したときは録音再生部１８を起動して録音メッセージを再生させ（Ｓ１６７）、そして、録音再生部１８による録音メッセージの送信が終了したとき前記と同様に回線を切断する（Ｓ１６８）。
【００５６】
また、ステップ１６２においてモード切替スイッチ４２のオフを確認したときは、転送先が携帯電話機６であると判断して録音メッセージ転送の旨を通知する（Ｓ１６５）。そして、前記と同様に携帯電話機６からの録音メッセージ読出の要求があったかどうかを判定し（Ｓ１６６）、録音メッセージ読出の要求を受信したときは録音再生部１８を起動して録音メッセージを再生させ（Ｓ１６７）、録音再生部１８による録音メッセージの送信が終了したとき回線を切断する（Ｓ１６８）。
【００５７】
実施例５においては、モード切替スイッチ４２がオフのとき録音メッセージの転送先が携帯電話機６と判断して暗証番号入力の要求をすることなく録音メッセージを転送するようにしたので、携帯電話機６においては録音メッセージ受信の際の操作が簡単になるという効果が得られている。
【００５８】
実施例６．
図１４は本発明の請求項５に係る発明の携帯電話機の一例を示すブロック図、図１５は携帯電話機の外観を示す斜視図、図１６は留守番電話機の録音メッセージを読み出すときの動作を説明するためのフローチャートである。なお、図１７及び図１８で説明した従来例と同一又は相当部分には同じ符号を付し説明を省略する。
【００５９】
図において、５０は携帯電話機、５１は携帯電話機５０のアンテナ、５２は受信信号を復調して受話器５３に送出する受信部、５４は送話器５５からの音声信号を変調して送信する送信部、５６は各種ボタンの入力信号に基づいて受信部５２や送信部５４を制御するマイコンで、呼出信号を検出したとき着信音を鳴らし、そして、通話ボタン５７が押下されたときは通話状態にする。また再び通話ボタン５７が押下されたときはその通話状態を解除するが、通話状態になっているときに再生ボタン５８が押下されたときは内蔵のメモリ５６ａに格納されている暗証番号を留守番電話機１に送信し、次いで録音メッセージを読み出すための再生信号をその留守番電話機１に送信する。この機能は本発明のメッセージ読出制御部の機能に相当するものである。
【００６０】
前記のように構成された携帯電話機において、録音メッセージ受信の際の動作を図１６のフローチャートに基づいて説明する。
マイコン５６は、呼出信号を検出すると（Ｓ１７１）、即座に着信音を鳴らし（Ｓ１７２）、通話ボタン５７が押下されたかどうかを判定する（Ｓ１７３）。その通話ボタン５７が押下されないときは着信音を鳴らし続けるが、通話ボタン５７が押下されたときは通話状態にして（Ｓ１７４）、引き続き通話ボタン５７が押下されたかどうか（Ｓ１７５）、再生ボタン５８が押下されたかどうかを判定する（Ｓ１７６）。通話ボタン５７が再び押下されたことを確認したときは通話状態を解除してこの呼出に対する処理を終了するが（Ｓ１７９）、再生ボタン５８が押下されたことを確認したときは、メモリ５６ａに格納されている暗証番号を読み出して、通話状態になっている相手先の留守番電話機１に送信し（Ｓ１７７）、次いで録音メッセージを読み出すための再生信号をその留守番電話機１に送信する（Ｓ１７８）。
【００６１】
本実施例によれば、録音メッセージ受信の際、再生ボタンを押下するだけで暗証番号が自動的に送信されるので、暗証番号を誤って入力するということがなくなり、しかも操作が簡単になるという効果が得られている。
【００６２】
【発明の効果】
以上のように本発明によれば、機種判定部が、記憶部のデータに基づいて転送先電話機が携帯電話機と判断したときは、暗証番号の入力を要求することなく録音メッセージを転送できるようにしたので、携帯電話機においては暗証番号の入力操作が不要になって操作が簡単になるという効果が得られている。
【００６３】
また、本発明によれば、機種判定部が、記憶部に格納されている電話番号に携帯電話機特有のコードが存在するかどうかを判定し、電話番号に携帯電話機特有のコードが存在するとき、暗証番号の入力を要求することなく録音メッセージを転送できるようにしたので、携帯電話機においては暗証番号の入力操作が不要になって操作が簡単になるという効果が得られている。
【００６４】
さらに、機種判定部が、記憶部に格納されているコードに基づいて転送先電話機が携帯電話機かどうかを判定し、そのコードから携帯電話機と判断したとき、暗証番号の入力を要求することなく録音メッセージを転送できるようにしたので、携帯電話機においては暗証番号の入力操作が不要になって操作が簡単になるという効果が得られている。
【００６５】
また、本発明によれば、機種判定部が、記憶部に格納されているフラグに基づいて転送先電話機が携帯電話機かどうかを判定し、そのフラグから携帯電話機と判断したときは録音メッセージを転送できるようにしたので、携帯電話機においては暗証番号の入力操作が不要になって操作が簡単になるという効果が得られている。
【００６６】
さらに、本発明によれば、機種判定部が、記憶部の第１の格納領域に電話番号を確認した場合、転送先電話機が携帯電話機と判断し、そして、その場合、転送先に対し暗証番号の入力を要求することなく録音メッセージを転送できるようにしたので、携帯電話機においては暗証番号の入力操作が不要になって操作が簡単になるという効果が得られている。
【図面の簡単な説明】
【図１】本発明の請求項１，２の発明に係る留守番電話機の一例を示すブロック図である。
【図２】留守番電話機の留守番機能の動作を説明するためのフローチャートである。
【図３】録音メッセージを受信するときの携帯電話機の操作手順を示すフローチャートである。
【図４】本発明の請求項１，２の発明に係る留守番電話機の他の実施例を説明するためのフローチャートである。
【図５】留守番電話機に転送先電話番号を登録するときの操作手順を示すフローチャートである。
【図６】本発明の請求項１，２に係る発明の留守番電話機の他の実施例を説明するためのフローチャートである。
【図７】本実施例におけるＥ２  ＰＲＯＭの説明図である。
【図８】Ｅ２  ＰＲＯＭに転送先が携帯電話機であるか否かを判定させるためのコードを入力するときの操作手順を示すフローチャートである。
【図９】本発明の請求項１，３に係る発明の留守番電話機の他の実施例を説明するためのフローチャートである。
【図１０】図９に続くフローチャートである。
【図１１】本発明の請求項４に係る発明の留守番電話機の一例を示すブロック図である。
【図１２】留守番電話機の外観を示す斜視図である。
【図１３】動作を説明するためのフローチャートである。
【図１４】本発明の請求項５に係る発明の携帯電話機の一例を示すブロック図である。
【図１５】携帯電話機の外観を示す斜視図である。
【図１６】留守番電話機の録音メッセージを読み出すときの動作を説明するためのフローチャートである。
【図１７】電話網の基本構成図である。
【図１８】従来の留守番機能付き電話機の回路構成を説明するためのブロック図である。
【図１９】短縮ダイヤルによる電話番号を格納するメモリの説明図である。
【図２０】短縮ダイヤルによる電話番号の登録手順を説明するためのフローチャートである。
【図２１】従来の電話機の留守番機能の動作を説明するためのフローチャートである。
【符号の説明】
１  留守番電話機、２  交換機、３  公衆電話、４  電話機、５  無線基地局、６  携帯電話機、１１  回線制御部、１２  フックスイッチ、１３  トーリンガ回路、１４  通話回路、１５  送受話器、１８  録音再生部、３１  マイコン、３２  Ｅ２  ＰＲＯＭ、４２  モード切替スイッチ。
【図１】
0003554905.tif 000002
【図２】
0003554905.tif 000003
【図３】
0003554905.tif 000004
【図４】
0003554905.tif 000005
【図５】
0003554905.tif 000006
【図６】
0003554905.tif 000007
【図７】
0003554905.tif 000008
【図８】
0003554905.tif 000009
【図９】
0003554905.tif 000010
【図１０】
0003554905.tif 000011
【図１１】
0003554905.tif 000012
【図１２】
0003554905.tif 000013
【図１３】
0003554905.tif 000014
【図１４】
0003554905.tif 000015
【図１５】
0003554905.tif 000016
【図１６】
0003554905.tif 000017
【図１７】
0003554905.tif 000018
【図１８】
0003554905.tif 000019
【図１９】
0003554905.tif 000020
【図２０】
0003554905.tif 000021
【図２１】
0003554905.tif 000022